(57)【要約】【課題】アクティブマトリクス型の表示装置において動きの速い動画像の表示をより品質よく制御することが可能な表示制御装置等を提供する。【解決手段】発光素子を夫々に含む複数の画素Ｓがマトリクス状に配置されて構成される表示装置ＳＳにおける画像の表示態様を制御する場合に、垂直同期期間中に表示すべき画像に対応する画像情報に基づいて、垂直同期期間より短い予め設定された点灯時間のみ各画素Ｓを駆動して画像の表示を行う。【選択図】      図１
2004170807.tif 000002
【特許請求の範囲】
【請求項１】
画素駆動手段を夫々に含む複数の画素がマトリクス状に配置されて構成される表示装置における画像の表示態様を制御する表示制御装置において、
一の同期方向の同期期間中に表示すべき前記画像に対応する画像情報に基づいて、前記同期期間より短い予め設定された点灯時間のみ各前記画素駆動手段を駆動して前記画像の表示を行う駆動制御手段を備えることを特徴とする表示制御装置。
【請求項２】
請求項１に記載の表示制御装置において、
前記駆動制御手段は、前記画像情報に基づいて、前記点灯時間内のみ全ての前記画素駆動手段を同時に駆動して前記画像の表示を行うことを特徴とする表示制御装置。
【請求項３】
請求項１に記載の表示制御装置において、
前記駆動制御手段は、前記画像情報に基づいて、前記同期期間中に走査されるべき走査線上にある前記画素駆動手段を線順次に走査するように駆動して前記画像の表示を行うことを特徴とする表示制御装置。
【請求項４】
請求項３に記載の表示制御装置において、
前記駆動制御手段は、相隣接する複数の前記走査線を同時に、且つ走査される複数の前記走査線が線順次に入れ替わるように当該各走査線上にある前記画素駆動手段を駆動して前記画像の表示を行うことを特徴とする表示制御装置。
【請求項５】
請求項３に記載の表示制御装置において、
前記駆動制御手段は、相隣接する複数の前記走査線を含んで夫々構成される走査線群であって当該走査線群に含まれる前記走査線の数が相互に異なる複数の走査線群毎に、当該各走査線群に含まれる複数の前記走査線を同時に、且つ当該各走査線群内において走査される前記走査線が線順次に入れ替わるように当該各走査線上にある前記画素駆動手段を駆動して前記画像の表示を行うことを特徴とする表示制御装置。
【請求項６】
請求項５に記載の表示制御装置において、
前記駆動制御手段は、前記同期期間中に走査されるべき各前記走査線群に含まれる前記走査線の数が、前記同期方向に沿って単純増加又は単純減少のいずれか一に変化するように前記画素駆動手段を駆動して前記画像の表示を行うことを特徴とする表示制御装置。
【請求項７】
請求項１に記載の表示制御装置において、
前記画像情報においては、画像表示期間についての相互に異なる重み付けを夫々に有する複数の副同期期間により前記同期期間が構成されており、
前記駆動制御手段は、前記副同期期間の各々において、前記画像情報に基づき当該各副同期期間に対応する走査線上にある前記画素駆動手段を線順次で走査して当該走査線上の前記画素を画像表示状態にする選択書込走査を行うと共に、
各前記走査線に対する前記選択書込走査が開始される前に、当該選択書込走査が実行される前記走査線上の前記画素駆動手段を線順次で走査して当該走査線上の全ての前記画素を画像非表示状態とする非表示走査を行うことを特徴とする表示制御装置。
【請求項８】
請求項１から７のいずれか一項に記載の表示制御装置と、
前記表示装置と、
を備えることを特徴とする表示システム。
【請求項９】
画素駆動手段を夫々に含む複数の画素がマトリクス状に配置されて構成される表示装置における画像の表示態様を制御する表示制御方法において、
一の同期方向の同期期間中に表示すべき前記画像に対応する画像情報に基づいて、前記同期期間より短い予め設定された点灯時間のみ各前記画素駆動手段を駆動して前記画像の表示を行う駆動制御工程を備えることを特徴とする表示制御方法。
【発明の詳細な説明】
【０００１】
【発明の属する技術分野】
本願は、表示制御装置、表示システム及び表示制御方法の技術分野に属し、より詳細には、マトリクス型の表示装置における表示態様を制御する表示制御装置、当該表示制御装置及び当該表示装置を含む表示システム、当該表示制御装置において実行される表示制御方法の技術分野に属する。
【０００２】
【従来の技術】
近年、液晶表示装置や有機ＥＬ（Ｅｌｅｃｔｒｏ    Ｌｕｍｉｎｅｓｃｅｎｃｅ）表示装置等、設置場所の点で有利な薄型の表示装置が一般化しつつある。
【０００３】
このとき、従来の液晶表示装置又は有機ＥＬ表示装置における画像表示においては、一般に、その表示画面を構成する各画素に一の電圧情報が印加されてから次の当該電圧情報が印加されるまでの一垂直同期期間中において、当該印加された一の電圧情報を当該各画素に形成されている画素容量を用いて保持することでその画素としての発光を継続する表示方式が採用されていた。
【０００４】
【発明が解決しようとする課題】
しかしながら、上述した従来の液晶表示装置等の表示方式によると、一垂直同期期間中において、印加された電圧情報を画素容量を用いて保持することでその画素としての発光を継続する構成となっていたため、結果として、人の視覚に起因するいわゆる残像が生じ易くなっていた。そして、当該残像が生じると、例えば動きの激しい動画像を鮮明に表示することができない等の表示品質の低下を招来するという問題点があった。
【０００５】
そこで、本願は、上記の各問題点に鑑みて為されたもので、その課題の一例は、例えば、夫々に能動素子を含む複数の画素により構成されるいわゆるアクティブマトリクス型の表示装置において、動きの速い動画像の表示をより品質よく制御することが可能な表示制御装置、当該表示制御装置及び当該表示装置を含む表示システム並びに当該表示制御装置において実行される表示制御方法を提供することにある。
【０００６】
【課題を解決するための手段】
上記の課題を解決するために、請求項１に記載の発明は、画素駆動手段を夫々に含む複数の画素がマトリクス状に配置されて構成される表示装置における画像の表示態様を制御する表示制御装置において、一の同期方向の同期期間中に表示すべき前記画像に対応する画像情報に基づいて、前記同期期間より短い予め設定された点灯時間のみ各前記画素駆動手段を駆動して前記画像の表示を行う駆動制御手段を備える。
【０００７】
上記の課題を解決するために、請求項８に記載の発明は、請求項１から７のいずれか一項に記載の表示制御装置と、前記表示装置と、を備える。
【０００８】
上記の課題を解決するために、請求項９に記載の発明は、画素駆動手段を夫々に含む複数の画素がマトリクス状に配置されて構成される表示装置における画像の表示態様を制御する表示制御方法において、一の同期方向の同期期間中に表示すべき前記画像に対応する画像情報に基づいて、前記同期期間より短い予め設定された点灯時間のみ各前記画素駆動手段を駆動して前記画像の表示を行う駆動制御工程を備える。
【０００９】
【発明の実施の形態】
次に、本願に好適な実施の形態について、図面に基づいて説明する。
【００１０】
なお、以下に説明する各実施の形態は、有機ＥＬ表示装置などの、各画素毎にＴＦＴ（Ｔｈｉｎ  Ｆｉｌｍ  Ｔｒａｎｓｉｓｔｏｒ）等の駆動素子を備えて動画像等を表示するアクティブマトリクス型の表示装置における駆動装置に対して本願を適用した場合の実施の形態である。
【００１１】
（Ｉ）第１実施形態
始めに、本願に係る第１実施形態について、図１乃至図３を用いて説明する。
【００１２】
なお、図１は第１実施形態に係る表示装置の概要構成を示すブロック図であり、図２は当該表示装置内の表示部に含まれる各画素に含まれる素子の構成を示す回路図であり、図３は当該表示装置の駆動状態を示すタイミングチャートである。
【００１３】
図１に示すように、第１実施形態に係る表示装置ＳＳは、フレームメモリ１Ａを含む駆動制御手段としての表示コントローラ１と、データドライバ２と、ゲートドライバ３と、表示部ＤＤと、一定電圧の直流電圧を発生させる直流電圧源Ｖと、スイッチＳＷと、により構成されている。
【００１４】
また、表示部ＤＤは、ｎ行ｍ列のマトリクス状に配置された複数の画素Ｓにより構成されている。このとき、各画素Ｓには、表示部ＤＤにおける行及び列毎に番号が付されている。
【００１５】
更に、データドライバ２と各画素Ｓとは夫々データ線Ｄ１乃至Ｄｍにより接続されており、一方ゲートドライバ３と各画素Ｓとは夫々ゲート線Ｇ１乃至Ｇｎにより接続されている。
【００１６】
更にまた、直流電圧源Ｖの正極はオン状態とされたスイッチＳＷ及びアノード線Ａを介して各画素Ｓに接続されており、一方、直流電圧源Ｖの負極はカソード線Ｋを介して各画素Ｓに接続されている。
【００１７】
また、スイッチＳＷは、表示コントローラ１に接続されている制御線Ｓｓｗを介して当該表示コントローラ１から出力されてくるスイッチ切換信号に基づいて、直流電圧源Ｖの正極とアノード線Ａとの接続をオン／オフする。
【００１８】
更に、データドライバ２は、表示コントローラ１に接続されている制御線Ｓｄｄを介して当該表示コントローラ１から出力されてくる駆動信号に基づき、後述する如き制御態様を実現するためのデータ信号を各データ線Ｄ１乃至Ｄｍを介して各画素Ｓに出力する。
【００１９】
他方、ゲートドライバ３は、表示コントローラ１に接続されている制御線Ｓｄｇを介して当該表示コントローラ１から出力されてくる駆動信号に基づき、後述する如き制御態様を実現するためのゲート信号を各ゲート線Ｇ１乃至Ｇｎを介して各画素Ｓに出力する。
【００２０】
また、表示コントローラ１には、表示部ＤＤにおいて表示すべき動画像に対応する動画像情報が情報線Ｓｄｐを介して外部から送信されてくると、当該動画像情報における一フレーム分の画像をフレームメモリ１Ａに一時的に蓄積し、当該蓄積されている画像に基づいて上記二つの駆動信号を生成してデータドライバ２及びゲートドライバ３へ出力する。
【００２１】
これと並行して表示コントローラ１は、スイッチＳＷを切換制御して第１実施形態に係る表示態様を実現すべく上記スイッチ切換信号を生成して制御線Ｓｓｗを介してスイッチＳＷへ出力する。
【００２２】
次に、各画素Ｓの細部構成について、図２を用いて説明する。
【００２３】
図２に示すように、表示部ＤＤ内の一の画素Ｓは、画素駆動手段及び能動素子としてのトランジスタＴ及びＴＴと、キャパシタＣと、例えば有機ＥＬ発光素子等である発光素子Ｅと、により構成されている。
【００２４】
この構成において、トランジスタＴのゲート端子はその画素Ｓに対応するゲート線Ｇに接続されており、トランジスタＴのソース端子はその画素Ｓに対応するデータ線Ｄに接続されおり、トランジスタＴのドレイン端子は同じ画素Ｓ内のもう一つのトランジスタＴＴのゲート端子及び同じ画素Ｓ内のキャパシタＣの一方の端子に接続されている。
【００２５】
また、当該キャパシタＣの他方の端子は接地されている。
【００２６】
更に、トランジスタＴＴのソース端子はアノード線Ａに接続されており、トランジスタＴＴのドレイン端子は発光素子Ｅの一方の端子に接続されている。
【００２７】
そして、発光素子Ｅの他方の端子は対応するカソード線Ｋに接続されている。
【００２８】
この回路構成において、ゲート線Ｇを介して供給されているゲート信号によりトランジスタＴを含む画素Ｓが選択された状態でデータ線Ｄを介してデータ信号が供給されると、当該ゲート信号による選択動作によりトランジスタＴがオンとなることで上記データ信号がキャパシタＣに供給されて当該キャパシタＣが充電される。そして、当該充電電圧が上昇することでトランジスタＴＴのゲート端子の電位が上昇すると、当該トランジスタＴＴがオンとされる。
【００２９】
これと並行して、スイッチＳＷの切り換えによりアノード線Ａとカソード線Ｋとの間に直流電圧源Ｖによる直流電圧が印加されると、オンとされているトランジスタＴＴを介してその直流電圧が駆動源となって発光素子Ｅに印加され、これにより当該発光素子Ｅが、当該直流電圧が印加されている期間だけ発光することとなる。
【００３０】
次に、上述した構成を備える表示装置ＳＳにおける表示制御について、具体的に図３を用いて説明する。なお、図３においては、一のゲート線Ｇに接続されている、すなわち、図１において行方向に並んでいる画素Ｓにより構成される走査線の各々を、走査線Ｌ１、Ｌ２、Ｌ３、…、Ｌｎとして表現している。
【００３１】
図３において、一垂直同期期間の先頭から開始されるアドレス期間においては、先ず、情報線Ｓｄｐを介して送信されてくる動画像情報（より具体的には、点灯させるべき各画素Ｓ毎の輝度情報。以下、同様）に基づいて、当該アドレス期間が属する一垂直同期期間において点灯させるべき発光素子Ｅが含まれる画素Ｓが含まれる走査線Ｌが上記ゲート信号により選択される。次に、当該選択された走査線Ｌ上にある画素Ｓのうち実際に点灯させるべき発光素子Ｅを含む画素Ｓに対して上記データ信号が供給されてキャパシタＣが充電される。
【００３２】
このとき、当該アドレス期間においては、スイッチＳＷをオフとするスイッチ切換信号が生成されて当該スイッチＳＷに出力されている。
【００３３】
次に、当該データ信号による充電によりキャパシタＣにおける充電電圧が上昇すると、トランジスタＴＴのゲート端子の電圧も上昇し、トランジスタＴＴの特性として予め設定されている閾値電圧を越えるとトランジスタＴＴがオン状態となる。なお、図２に示す回路構成により、たとえトランジスタＴＴのみがオン状態となってもアノード線Ａとカソード線Ｋとの間に上記直流電圧源Ｖによる直流電圧が印加されない限りは、発光素子Ｅは点灯しない。
【００３４】
そして、一垂直同期期間内における予め設定された点灯時間だけ発光素子Ｅを点灯させるべくスイッチ切換信号が出力されてスイッチＳＷがオンとなると、当該切り換えにより、オン状態のトランジスタＴＴを介して発光素子Ｅのアノード端子とカソード端子間に上記直流電圧が印加され、これにより発生する電流により当該発光素子Ｅの点灯動作が当該点灯時間だけ持続される。なお、図２に示す回路構成により、当該点灯動作は、選択された全ての画素Ｓ内の発光素子Ｅにおいて実行されると共に、図３に示すように一垂直同期期間が終了するまで持続される（図３において「点灯状態」と示す）。このとき、スイッチＳＷは、当該点灯期間の間継続してオン状態となっていることとなる。
【００３５】
また、当該点灯動作における発光輝度は、上記動画像情報として輝度情報に対応した輝度であることとなる。
【００３６】
そして、当該点灯動作が継続しつつ一垂直同期期間が経過したタイミングでスイッチＳＷを再びオフとするように上記スイッチ切換信号が出力され、これにより点灯動作が停止して新たな垂直同期期間（アドレス期間）が開始される。
【００３７】
これ以後は、全ての垂直同期期間内において、上述した画素Ｓの選択動作、キャパシタＣの充電及び点灯期間開始までの待機並びに点灯期間内のみの点灯動作が繰り返されることで、一垂直同期期間内の点灯期間内のみの点灯動作が実現される。
【００３８】
以上説明したように、第１実施形態の表示装置ＳＳの動作によれば、一垂直同期期間より短い点灯期間のみ各画素Ｓ内の発光素子Ｅが駆動されて画像が表示されるので、人の視覚における残像現象影響を低減して動きの速い動画像の表示をより品質よく制御することができる。
【００３９】
（ＩＩ）第２実施形態
次に、本願に係る他の実施形態である第２実施形態について、図４乃至図６を用いて説明する。
【００４０】
なお、図４は第２実施形態に係る表示装置の概要構成を示すブロック図であり、図５は当該表示装置の一垂直同期期間内における駆動状態を示すタイミングチャートであり、図６は当該表示装置の複数の垂直同期期間内における駆動状態を示すタイミングチャートである。
【００４１】
また、図４においては、図１及び図２に示す第１実施形態に係る表示装置ＳＳと同様の構成部材については、同一の部材番号を付して細部の説明は省略する。
【００４２】
上述した第１実施形態の表示装置ＳＳにおいては、一垂直同期期間内の予め設定された点灯時間だけ、全ての発光素子Ｅを同時に発光させる構成としたが、以下に説明する第２実施形態においては、相隣接する複数の走査線Ｌ上の発光素子Ｅを同時に、且つ走査される複数の走査線Ｌが線順次に入れ替わるように当該各走査線Ｌ上にある発光素子Ｅを駆動して画像の表示を行う。
【００４３】
すなわち、図４に示すように、第２実施形態に係る表示装置ＳＳ１は、第１実施形態に係る表示装置ＳＳにおけるデータドライバ２、ゲートドライバ３、表示部ＤＤに加えて、各画素Ｓに夫々接続されているアノード線Ａ及びカソード線Ｋに直接接続されている直流電圧源Ｖと、フレームメモリ１０Ａを含む表示コントローラ１０と、により構成されている。
【００４４】
このとき、直流電圧源Ｖの正極はアノード線Ａに直接接続されており、同じく負極はカソード線Ｋに直接接続されている。
【００４５】
また、表示コントローラ１０は、第１実施形態に係る表示コントローラ１と同様に、制御線Ｓｄｄ及びＳｄｇを介して夫々データドライバ２及びゲートドライバ３に接続されていると共に、外部からは情報線Ｓｄｐを介して表示部ＤＤにおいて表示すべき動画像情報が送信されて来る。
【００４６】
次に、上述した構成を備える表示装置ＳＳ１における表示制御について、具体的に図５及び図６を用いて説明する。なお、図５及び図６においては、第１実施形態に係る図３の場合と同様に、一のゲート線Ｇに接続されている画素Ｓにより構成される走査線の各々を、走査線Ｌ１、Ｌ２、Ｌ３、…、Ｌｎとして表現している。
【００４７】
図５において、一垂直同期期間の前半においては、先ず、情報線Ｓｄｐを介して送信されてくる動画像情報に基づいて、当該一垂直同期期間において点灯させるべき発光素子Ｅが含まれる画素Ｓが含まれる走査線Ｌが上記ゲート信号により選択される。次に、当該選択された走査線Ｌ上にある画素Ｓのうち実際に点灯させるべき発光素子Ｅを含む画素Ｓに対して線順次に上記データ信号が供給されてキャパシタＣが充電される。このとき、当該垂直同期期間においては、アノード線Ａとカソード線Ｋ間には直流電圧源Ｖによる直流電圧が常に印加されている。
【００４８】
従って、上記データ信号による選択・充電により図２に示すキャパシタＣにおける充電電圧が上昇することで、第１実施形態の場合と同様にトランジスタＴＴがオン状態となると、当該オン状態のトランジスタＴＴを介して発光素子Ｅのアノード端子とカソード端子間に上記直流電圧が印加され、これにより発生する電流により当該発光素子Ｅの点灯動作が線順次に開始される。
【００４９】
なお、図５においては、各走査線Ｌ毎に点灯動作が開始されるタイミングの変化（ずれ）を符号「Ａ１」が付された破線により示しており、当該点灯動作は、点灯させるべき画素Ｓが線順次に選択されて対応するキャパシタＣの充電が完了した後、直ちに開始される。
【００５０】
そして、一旦点灯動作が開始されると、図２に示す画素Ｓの回路構成により、当該点灯動作は、図４に示すように後述する消灯動作が実行されるまで各走査線Ｌ毎に相互に同じ点灯時間だけ継続される。
【００５１】
次に、第２実施形態の表示制御処理においては、一垂直同期期間の後半において、現在点灯動作している発光素子Ｅに対する消灯動作が、点灯動作している各画素Ｓが属する走査線Ｌ毎に、当該点灯動作が始まった順（上記破線Ａ１にて示される順）に開始される。
【００５２】
当該消灯動作としてより具体的には、当該一垂直同期期間の後半において消灯すべき発光素子Ｅが含まれる画素Ｓが含まれる走査線Ｌが上記ゲート信号により選択される。次に、当該選択された走査線Ｌ上にある画素Ｓのうち消灯すべき発光素子Ｅを含む画素Ｓに対して線順次に図示しない消去信号が供給されて発光素子Ｅの点灯動作が停止される。これにより当該発光素子Ｅの消灯動作が線順次に実行される。
【００５３】
ここで、図５においては、破線Ａ１にて示されるタイミングで夫々の走査線Ｌ毎に発光素子Ｅの点灯動作が開始された後に、当該各走査線Ｌ毎に消灯動作が開始されるタイミングの変化（ずれ）を符号「Ｂ２」が付された破線により示しており、当該消灯動作は、点灯している画素Ｓ毎に走査線Ｌ毎の線順次に開始される。
【００５４】
そして、一旦消灯すると、各走査線Ｌ毎に次の垂直同期期間において新たな点灯動作が開始されるまでその消灯状態を維持することとなる。
【００５５】
なお、図５において符号「Ｂ１」が付された破線は、破線Ａ１により示されるタイミングで線順次に点灯動作が開始される直前に、各画素Ｓが走査線Ｌ毎に線順次に消灯されるタイミングを示すものである。
【００５６】
次に、図５に示すタイミングで点灯動作と消灯動作が一垂直同期期間毎に繰り返される場合における複数の垂直同期期間に渡る表示態様の変化について、図６を用いて説明する。
【００５７】
図５に示すタイミングにより点灯動作と消灯動作が繰り返された場合、複数の垂直同期期間に渡る点灯動作と消灯動作とは図６に示す如く線順次に繰り返されることとなる。なお、図６においては、各走査線Ｌ毎に、点灯動作が開始されるタイミングを符号Ａ１、Ａ２、Ａ３、…により示しており、一方、消灯動作が開始されるタイミングを符号Ｂ０、Ｂ１、Ｂ２、…により示している。
【００５８】
このとき、例えば図６に示すタイミングＴ１においては、表示画面Ｄとしては、図６中符号「Ａ１」で示されるタイミングで点灯動作が開始される走査線Ｌの上部の領域と、図６中符号「Ｂ０」で示されるタイミングで消灯動作が開始される走査線Ｌより下部の領域と、においてのみ画素Ｓが点灯しており、その中央部においては、画素Ｓは消灯されている。
【００５９】
次に、図６に示すタイミングＴ２においては、表示画面Ｄとしては、図６中符号「Ｂ１」で示されるタイミングで消灯動作が開始される走査線Ｌの上部の領域と、図６中符号「Ａ１」で示されるタイミングで点灯動作が開始される走査線Ｌより下部の領域と、においてのみ画素Ｓが消灯されており、その中央部においては、画素Ｓは点灯状態とされている。
【００６０】
更に、図６に示すタイミングＴ３、すなわち、表示画面Ｄにおける最下部の走査線Ｌの消灯動作が開始されるタイミングにおいては、表示画面Ｄとしては、図６中符号「Ａ２」で示されるタイミングで点灯動作が開始される走査線Ｌの上部の領域においてのみ画素Ｓが点灯状態とされている。
【００６１】
このように、第２実施形態に示す表示装置ＳＳ１における表示態様によれば、相隣接する複数の走査線Ｌにより構成される帯状の点灯領域が表示画面Ｄ内を上から下に見かけ上移動していくことで動画像が表示されることとなる。
【００６２】
以上説明したように、第２実施形態の表示装置ＳＳ１の動作によれば、垂直同期期間より短い点灯時間のみ各発光素子Ｅが駆動されて画像が表示されるので、人の視覚における残像現象の影響を低減して動きの速い動画像の表示をより品質よく制御することができる。
【００６３】
また、入力されてくる動画像情報に対してリアルタイムに近い画像処理を実行できるため、図４に示すフレームメモリ１０Ａを省略することも可能である。
【００６４】
（ＩＩＩ）第３実施形態
次に、本願に係る更に他の実施形態である第３実施形態について、図７を用いて説明する。
【００６５】
なお、図７は第３実施形態に係る表示装置の複数の垂直同期期間内における駆動状態を示すタイミングチャートであり、第１実施形態に係る図３の場合と同様に、一のゲート線Ｇに接続されている画素Ｓにより構成される走査線の各々を、走査線Ｌ１、Ｌ２、Ｌ３、…、Ｌｎとして表現している。
【００６６】
また、第３実施形態に係る表示装置の構成は、上述した第２実施形態に係る表示装置ＳＳ１と同様であるので、細部の説明は省略する。
【００６７】
上述した第２実施形態の表示装置ＳＳ１においては、相隣接する複数の走査線Ｌにより構成される帯状の一の点灯領域が表示画面Ｄ内を上から下に見かけ上移動していくことで動画像が表示される場合について説明したが、以下に説明する第３実施形態においては、相隣接する複数の走査線Ｌにより構成される帯状の複数の点灯領域が表示画面Ｄ内を上から下に見かけ上移動していくことで動画像が表示される。換言すれば、一の表示画面Ｄ（すなわち、一のフィールド）を複数のいわゆるサブフィールドに分割して点灯させることで動画像の表示を行う。そして、このサブフィールドを用いた表示制御により、いわゆる階調表示を行う。このとき、情報線Ｓｄｐを介して外部から入力される動画像情報は、表示コントローラにおいてｎビット（図７に示す場合は４ビット）のデータ信号に変換され、これにより２ｎ階調の階調表示を行う。
【００６８】
より具体的には、以下の第３実施形態では、図７に示す如く、一フィールドの表示期間を四つのサブフィールドＳＦ１乃至ＳＦ４により構成し、上記変換後のデータ信号における各ビット桁分の重み付け（具体的には、サブフィールドＳＦ１から順に１：２：４：８）に対応した点灯期間だけ各サブフィールドＳＦに含まれる走査線Ｌ上の発光素子Ｅを点灯させて１６（＝２４）階調の階調表示を行いつつ動画像を表示する。
【００６９】
すなわち、図７に示すように、第３実施形態に係る表示装置において、一垂直同期期間においては、先ず、情報線Ｓｄｐを介して送信されてくる動画像情報に基づいて、サブフィールドＳＦ１において点灯させるべき発光素子Ｅが含まれる画素Ｓが含まれる走査線Ｌが上記ゲート信号により選択される。次に、当該選択された走査線Ｌ上にある画素Ｓのうち実際に点灯させるべき発光素子Ｅを含む画素Ｓに対して、当該サブフィールドＳＦ１内において線順次に上記データ信号が供給されてキャパシタＣが充電される。これにより、各画素Ｓ内のトランジスタＴＴがオン状態となって発光素子Ｅのアノード端子とカソード端子間に直流電圧が印加されると、これにより発生する電流により当該発光素子Ｅの点灯動作がサブフィールドＳＦ１内において線順次に実行される。
【００７０】
なお、図７においては、サブフィールドＳＦ１を構成する各走査線Ｌ毎に点灯動作が開始されるタイミングの変化を符号「Ａ１」が付された実線により示しており、当該点灯動作は、点灯させるべき画素Ｓが線順次に選択されて対応するキャパシタＣの充電が完了した後、直ちに開始される。
【００７１】
そして、サブフィールドＳＦ１内において一旦点灯動作が開始されると、図２に示す画素Ｓの回路構成により、当該点灯動作は、図７に示すように後述するサブフィールドＳＦ１としての消灯動作が実行されるまで各走査線Ｌ毎に相互に同じ点灯時間だけ継続される。
【００７２】
サブフィールドＳＦ１としての点灯期間が終了すると、次に、現在点灯している発光素子Ｅに対するサブフィールドＳＦ１としての消灯動作が、点灯している各画素Ｓが属する走査線Ｌ毎に、当該点灯動作が始まった順（上記実線Ａ１にて示される順）に開始される。
【００７３】
当該消灯動作としてより具体的には、サブフィールドＳＦ１において消灯すべき発光素子Ｅが含まれる画素Ｓが含まれる走査線Ｌが上記ゲート信号により選択される。次に、当該選択された走査線Ｌ上にある画素Ｓのうち消灯すべき発光素子Ｅを含む画素Ｓに対して線順次に図示しない消去信号が供給されて発光素子Ｅの点灯動作が停止される。これにより当該発光素子Ｅの消灯動作が線順次に実行される。
【００７４】
ここで、図７においては、実線Ａ１にて示されるタイミングで夫々の走査線Ｌ毎に発光素子ＥのサブフィールドＳＦ１としての点灯動作が開始された後に、当該各走査線Ｌ毎に消灯動作が開始されるタイミングの変化を符号「Ｂ１」が付された破線により示しており、当該消灯動作は、点灯している画素Ｓ毎に走査線Ｌ毎の線順次に開始される。
【００７５】
そして、サブフィールドＳＦ１において一旦各発光素子Ｅが消灯すると、各走査線Ｌ毎に次のサブフィールドＳＦ２において新たな点灯動作が開始されるまでその消灯状態を維持することとなる。
【００７６】
上述した如きサブフィールドＳＦ１としての点灯動作及び消灯動作が終了すると、次に、上記動画像情報に基づいて、サブフィールドＳＦ２において点灯させるべき発光素子Ｅが含まれる画素Ｓが含まれる走査線Ｌが上記ゲート信号により選択される。そして、これ以後サブフィールドＳＦ１の場合と同様にして発光素子Ｅの点灯動作がサブフィールドＳＦ２内において線順次に実行される。
【００７７】
なお、図７においては、サブフィールドＳＦ２を構成する各走査線Ｌ毎に点灯動作が開始されるタイミングの変化を符号「Ａ２」が付された実線により示している。
【００７８】
そして、サブフィールドＳＦ２内において一旦点灯動作が開始されると、当該点灯動作は、図７に示すように後述するサブフィールドＳＦ２としての消灯動作が実行されるまで各走査線Ｌ毎に相互に同じ点灯時間だけ継続される。ここで、サブフィールドＳＦ２としての点灯時間は、サブフィールドＳＦ１の点灯時間の２倍となる。
【００７９】
サブフィールドＳＦ２としての点灯期間が終了すると、次に、現在点灯している発光素子Ｅに対するサブフィールドＳＦ２としての消灯動作が、点灯している各画素Ｓが属する走査線Ｌ毎に、当該点灯動作が始まった順（上記実線Ａ２にて示される順）に線順次に実行される。
【００８０】
ここで、図７においては、実線Ａ２にて示されるタイミングで夫々の走査線Ｌ毎に発光素子ＥのサブフィールドＳＦ２としての点灯動作が開始された後に、当該各走査線Ｌ毎に消灯動作が開始されるタイミングの変化を符号「Ｂ２」が付された破線により示しており、当該消灯動作は、点灯している画素Ｓ毎に走査線Ｌ毎の線順次に開始される。
【００８１】
そして、サブフィールドＳＦ２において一旦各発光素子Ｅが消灯すると、各走査線Ｌ毎に次のサブフィールドＳＦ３において新たな点灯動作が開始されるまでその消灯状態を維持することとなる。
【００８２】
上述した如きサブフィールドＳＦ２としての点灯動作及び消灯動作が終了すると、次に、上記動画像情報に基づいて、サブフィールドＳＦ３において点灯させるべき発光素子Ｅが含まれる画素Ｓが含まれる走査線Ｌが上記ゲート信号により選択される。そして、これ以後サブフィールドＳＦ１及びＳＦ２の場合と同様にして発光素子Ｅの点灯動作がサブフィールドＳＦ３内において線順次に実行される。
【００８３】
なお、図７においては、サブフィールドＳＦ３を構成する各走査線Ｌ毎に点灯動作が開始されるタイミングの変化を符号「Ａ３」が付された実線により示している。
【００８４】
そして、サブフィールドＳＦ３内において一旦点灯動作が開始されると、当該点灯動作は、図７に示すように後述するサブフィールドＳＦ３としての消灯動作が実行されるまで各走査線Ｌ毎に相互に同じ点灯時間だけ継続される。ここで、サブフィールドＳＦ３としての点灯時間は、サブフィールドＳＦ２の点灯時間の２倍となる。
【００８５】
サブフィールドＳＦ３としての点灯期間が終了すると、次に、現在点灯している発光素子Ｅに対するサブフィールドＳＦ３としての消灯動作が、点灯している各画素Ｓが属する走査線Ｌ毎に、当該点灯動作が始まった順（上記実線Ａ３にて示される順）に線順次に実行される。
【００８６】
ここで、図７においては、実線Ａ２にて示されるタイミングで夫々の走査線Ｌ毎に発光素子ＥのサブフィールドＳＦ３としての点灯動作が開始された後に、当該各走査線Ｌ毎に消灯動作が開始されるタイミングの変化を符号「Ｂ３」が付された破線により示しており、当該消灯動作は、点灯している画素Ｓ毎に走査線Ｌ毎の線順次に開始される。
【００８７】
そして、サブフィールドＳＦ３において一旦各発光素子Ｅが消灯すると、各走査線Ｌ毎に次のサブフィールドＳＦ４において新たな点灯動作が開始されるまでその消灯状態を維持することとなる。
【００８８】
これ以後は、点灯時間がサブフィールドＳＦ３の２倍となるサブフィールドＳＦ４としての点灯動作及び消灯動作が線順次に実行される。
【００８９】
なお、各サブフィールドＳＦ内における消灯時間は、全てのサブフィールドＳＦについて同じである。
【００９０】
そして、上述した四つのサブフィールドＳＦ１乃至ＳＦ４としての点灯動作及び消灯動作が完了した時点で一の垂直同期期間内の画像表示が完了する。
【００９１】
次に、図７に示すタイミングでサブフィールドＳＦ毎の点灯動作及び消灯動作が一垂直同期期間内において実行される場合における表示態様の変化について説明する。
【００９２】
図７に示すタイミングによりサブフィールドＳＦ毎の点灯動作及び消灯動作が繰り返された場合、一の垂直同期期間における表示画面Ｄとしては、例えば図７に示すタイミングＴにおいて、各サブフィールドＳＦ１乃至ＳＦ４に含まれる走査線Ｌ上の発光素子Ｅは点灯し、各サブフィールドＳＦ１乃至ＳＦ４以外の領域に含まれる走査線Ｌ上の発光素子Ｅは消灯していることとなる。
【００９３】
すなわち、第３実施形態に示す表示装置における表示態様によれば、各サブフィールドＳＦ１乃至ＳＦ４に夫々複数ずつ含まれる走査線Ｌにより構成される帯状の点灯領域（その幅は各サブフィールドＳＦ１乃至ＳＦ４毎の重み付けに対応して異なっており、具体的には、サブフィールドＳＦ１：サブフィールドＳＦ２：サブフィールドＳＦ３：サブフィールドＳＦ４＝１：２：４：８である）が、表示画面Ｄ内を上から下に各サブフィールドＳＦ１乃至ＳＦ４毎に同じ消灯時間に対応する間隔を置いて見かけ上移動していくことで動画像が表示されることとなる。
【００９４】
以上説明したように、第３実施形態の表示装置の動作によれば、垂直同期期間より短い点灯時間のみ各発光素子Ｅが駆動されて画像が表示されるので、人の視覚における残像現象の影響を低減して動きの速い動画像の表示をより品質よく制御することができる。
【００９５】
また、サブフィールドＳＦの各々において、動画像情報に基づき対応する走査線Ｌ上の画素Ｓを画像表示状態にする選択書込走査（図７において実線Ａ１、Ａ２、Ａ３及びＡ４により示されるタイミングにおいて実行される走査）を行うと共に、各走査線Ｌに対する選択書込走査が開始される前に、当該選択書込走査が実行される走査線Ｌ上の全ての画素Ｓを画像非表示状態とする非表示走査（図７において破線Ｂ１、Ｂ２、Ｂ３及びＢ４により示されるタイミングにおいて実行される走査）を行うので、サブフィールド法で階調表示を行う場合の動画擬似輪郭の発生を低減することができる。
【００９６】
なお、上述した第３実施形態においては、垂直同期期間中に走査されるべき各サブフィールドＳＦに含まれる走査線Ｌの数が垂直同期方向に沿って単純減少に変化するように発光素子Ｅを駆動する場合について説明したが、これ以外に、垂直同期期間中に走査されるべき各サブフィールドＳＦに含まれる走査線Ｌの数が垂直同期方向に沿って単純増加に変化するように発光素子Ｅを駆動しても、第３実施形態の表示装置と同様の効果が得られる。
【００９７】
以上、各実施形態毎に説明したように、本願の表示装置ＳＳ又はＳＳ１等の動作によれば、一垂直同期期間より短い点灯期間のみ各画素Ｓ内の発光素子Ｅが駆動されて画像が表示されるので、人の視覚における残像現象影響を低減して動きの速い動画像の表示をより品質よく制御することができる。
【００９８】
また、相隣接する複数の走査線Ｌ上の発光素子Ｅを同時に、且つ走査される複数の走査線Ｌが線順次に入れ替わるように当該各走査線Ｌ上にある発光素子Ｅを駆動して画像の表示を行う場合には、より正確に動画像の表示を制御することができる。
【００９９】
また、各サブフィールドＳＦ１乃至ＳＦ４に含まれる複数の走査線Ｌを同時に、且つ当該各サブフィールドＳＦ１乃至ＳＦ４内において走査される走査線Ｌが線順次に入れ替わるように当該各走査線Ｌ上にある発光素子Ｅを駆動して画像の表示を行う場合には、動画像における階調表示を行う場合にも鮮明に当該動画像の表示を制御することができる。
【０１００】
更に、垂直同期期間中に走査されるべき各サブフィールドＳＦに含まれる走査線Ｌの数が、同期方向に沿って単純減少一に変化するように発光素子Ｅを駆動する場合には、動画像表示におけるより正確な階調表示を制御することができる。換言すれば、サブフィールドＳＦの各々において、動画像情報に基づき対応する走査線Ｌ上の画素Ｓを画像表示状態にする選択書込走査（図７において実線Ａ１、Ａ２、Ａ３及びＡ４により示されるタイミングにおいて実行される走査）を行うと共に、各走査線Ｌに対する選択書込走査が開始される前に、当該選択書込走査が実行される走査線Ｌ上の全ての画素Ｓを画像非表示状態とする非表示走査（図７において破線Ｂ１、Ｂ２、Ｂ３及びＢ４により示されるタイミングにおいて実行される走査）を行うので、動画像における階調表示を行う場合にも鮮明に当該動画像の表示を制御することができる。
【０１０１】
更にまた、上述の第３実施形態においては、各発光素子が点灯又は消灯の２値の動作のみを行うものとして点灯期間の長さにより階調表示を行う場合について説明したが、これ以外に、入力映像信号に応じてアナログ的に各発光素子の発光強度を変えて階調表示する場合に本願を適用することも可能である。更に、各サブフィールドにおいて各発光素子の発光強度をアナログ的に変えて階調表示する場合に本願を適用することも可能である。
【図面の簡単な説明】
【図１】第１実施形態に係る表示装置の概要構成を示すブロック図である。
【図２】第１実施形態に係る表示装置の細部構成を示すブロック図である。
【図３】第１実施形態に係る表示装置の駆動状態を示すタイミングチャートである。
【図４】第２実施形態に係る表示装置の概要構成を示すブロック図である。
【図５】第２実施形態に係る表示装置の駆動状態を示すタイミングチャート（Ｉ）である。
【図６】第２実施形態に係る表示装置の駆動状態を示すタイミングチャート（ＩＩ）である。
【図７】第３実施形態に係る表示装置の駆動状態を示すタイミングチャートである。
【符号の説明】
１、１０…表示コントローラ
２…データドライバ
３…ゲートドライバ
１Ａ、１０Ａ…フレームメモリ
ＳＳ、ＳＳ１…表示装置
ＤＤ…表示部
Ｓ…画素
Ｖ…直流電圧源
ＳＷ…スイッチ
【図１】
2004170807.tif 000003
【図２】
2004170807.tif 000004
【図３】
2004170807.tif 000005
【図４】
2004170807.tif 000006
【図５】
2004170807.tif 000007
【図６】
2004170807.tif 000008
【図７】
2004170807.tif 000009